(57)【要約】  【課題】画質などに過剰な品質を追求するだけではなく、エンドユーザのために真に有用となる新たな機能を備えたデジタルカメラを提供する。  【解決手段】筐体１の一部に、撮影日時以外の画像に関する詳細情報を入力するための詳細情報入力部２を一体に設け、撮影画像が何処で撮影したものなのか、被写体が誰であるのか、どのようなイベントに因んで撮影されたものであるのか等といった詳細情報を入力できるようにした。  【選択図】図１
0003125774.tif 000002
【実用新案登録請求の範囲】
【請求項１】
筐体の一部に、少なくとも撮影日時以外の画像に関する詳細情報を入力するための詳細情報入力部を一体に設けたことを特徴とするデジタルカメラ。
【請求項２】
詳細情報入力部が、少なくともひらがな文字及びカタカナ文字、アルファベット、並びに数字を入力するためのテンキーと、ひらがな文字を漢字に変換する変換キーとを備えていることを特徴とする請求項１記載のデジタルカメラ。
【請求項３】
筐体の裏面に詳細情報入力部を、撮影した画像が表示される画像表示部と略同程度の大きさで当該画像表示部とともに並列的に設けていることを特徴とする請求項１又は２記載のデジタルカメラ。
【請求項４】
筐体の一部に、詳細情報入力モードを選択するための選択部を備え、この選択部を通じて詳細情報入力モードが選択されることにより、詳細情報入力部からの詳細情報の入力を許容するように構成していることを特徴とする請求項３記載のデジタルカメラ。
【請求項５】
筐体の一部に、詳細情報入力部から入力した詳細情報と画像表示部に表示される撮影画像とを関連づけて記録するための記録指令部を備え、この記録指令部を通じて記録指令がなされることにより、記録部が、画像データ及び詳細情報データをともに画像データ記録部に記録し若しくは両データに共通の識別子を付してそれぞれ画像データ記録部及び詳細情報データ記録部に記録するように構成していることを特徴とする請求項１〜４記載のデジタルカメラ。
【請求項６】
筐体の一部に、画像データ記録部に記録されている画像データを読み出すための読み出し指令部を備え、この読み出し指令部を通じて特定の画像データに対する読み出し指令がなされることにより、読み出し部が、当該画像データを詳細情報データとともに画像データ記録部から読み出し若しくは当該画像データを画像データ記録部から読み出すとともにこの画像データに付されている識別子と共通の識別子が付されている詳細情報データを詳細情報データ記録部から読み出すように構成していることを特徴とする請求項５記載のデジタルカメラ。
【請求項７】
デジタルカメラの画像データを画像データ印刷領域に印刷した印刷済出力紙であって、その画像データ印刷領域の一部又は当該画像データ印刷領域の隣接位置に、少なくとも撮影日時以外の画像に関する詳細情報が印刷された詳細情報データ印刷領域を備えていることを特徴とする印刷済出力紙。
【考案の詳細な説明】
【技術分野】
【０００１】
本考案は、撮影した大量の画像を好適に取り扱うことができるようにしたデジタルカメラ及び印刷済出力紙に関するものである。
【背景技術】
【０００２】
近年、デジタルカメラの性能は急速に進歩し、旧来の銀塩フィルムに比して遜色のない画質が実現されている。このような中、優劣の判断は専ら画素数に求められているきらいがあり、一般人が認識できない画素数領域での開発が進んでいる。また、記録媒体の大容量化も加速し、デジタルデータという特質がら大量のデータを劣化させることなく半永久的に保存することが可能になるなど、旧来の銀塩フィルムにおいては到底望めなかった機能も備わるようになっている。本考案に対応する従来技術は例示するまでもないほど一般的な形態のものである。
【考案の開示】
【考案が解決しようとする課題】
【０００３】
ところで、このように一気に大量の画像を手軽に撮影できるようになると、様々な面で利便性は向上するものの、撮影画像をＰＣに移して保存する場合等に却って混乱を来たし易いという新たな問題が生じる。すなわち、今日のデジタルカメラは、初期設定後においては撮影・再生・データ移動・消去など、画像データを取扱う上での様々な機能は用意されているものの、画像データ以外に画像に関する情報として扱われるのはデジタルカメラ上で自動的に振られる撮影日時程度であり、その画像が何処で撮影したものなのか、被写体が誰であるのか、どのようなイベントに因んで撮影されたものであるのか、などといった詳細情報について画像データや印刷した写真等から伺い知ることはできない。このため、撮影から日が経つにつれて整理が困難になり、ましてや画像データを無造作にＰＣに移して蓄積していった場合には、もはや収集がつかない事態に陥ることとなる。
【０００４】
本考案は、このような課題に着目してなされたものであって、画質などに過剰な品質を追求するだけではなく、エンドユーザのために真に有用となる新たな機能を備えたデジタルカメラを提供することを目的としている。
【課題を解決するための手段】
【０００５】
本考案は、かかる目的を達成するために、次のような手段を講じたものである。
【０００６】
すなわち、本考案のデジタルカメラは、筐体の一部に、少なくとも撮影日時以外の画像に関する詳細情報を入力するための詳細情報入力部を一体に設けたことを特徴とする。
【０００７】
デジタルカメラにこのような入力部が備われば、撮影画像が何処で撮影したものなのか、被写体が誰であるのか、どのようなイベントに因んで撮影されたものであるのか等といった詳細情報を撮影後にデジタルカメラ上で入力して関連づけることができるので、大量の画像データが蓄積した後であっても、事後的な確認や整理の便に資することができる。
【０００８】
詳細情報入力部は、テンキーを通じて少なくともひらがな文字及びカタカナ文字、アルファベット、並びに数字を入力可能とされ、更にひらがな文字を漢字に変換する変換キーを備えているものが適切である。
【０００９】
使い勝手を良好にするためには、筐体の裏面に詳細情報入力部を、撮影した画像が表示される画像表示部と略同程度の大きさで当該画像表示部とともに並列的に設けておくことが望ましい。
【００１０】
詳細情報の入力を必要な場合のみ行うようにするためには、筐体の一部に、詳細情報入力モードを選択するための選択部を備え、この選択部を通じて詳細情報入力モードが選択されることにより、詳細情報入力部からの詳細情報の入力を許容するように構成しておくことが好ましい。
【００１１】
記録に関する具体的な実施の態様としては、筐体の一部に、詳細情報入力部から入力した詳細情報と画像表示部に表示される撮影画像とを関連づけて記録するための記録指令部を備え、この記録指令部を通じて記録指令がなされることにより、記録部が、画像データ及び詳細情報データをともに画像データ記録部に記録し若しくは両データに共通の識別子を付してそれぞれ画像データ記録部及び詳細情報データ記録部に記録するように構成しているものが挙げられる。
【００１２】
読み出しに関する具体的な実施の態様としては、筐体の一部に、画像データ記録部に記録されている画像データを読み出すための読み出し指令部を備え、この読み出し指令部を通じて特定の画像データに対する読み出し指令がなされることにより、読み出し部が、当該画像データを詳細情報データとともに画像データ記録部から読み出し若しくは当該画像データを画像データ記録部から読み出すとともにこの画像データに付されている識別子と共通の識別子が付されている詳細情報データを詳細情報データ記録部から読み出すように構成しているものが挙げられる。
【００１３】
一方、本考案の印刷済出力紙としては、デジタルカメラの画像データが画像データ印刷領域に印刷されるに際して、その画像データ印刷領域の一部又は当該画像データ印刷領域の隣接位置に、少なくとも撮影日時以外の画像に関する詳細情報が印刷された詳細情報データ印刷領域を備えていることを特徴とする。
【００１４】
このようなものであると、大量の印刷済出力紙が蓄積した後であっても、事後的な確認や整理を有効に行うことができる。
【考案の効果】
【００１５】
本考案は、以上説明した構成であるから、画像を事後的に類別できる便利な機能を備えた新規有用なデジタルカメラを提供することが可能となる。
【考案を実施するための最良の形態】
【００１６】
以下、本考案の一実施形態を、図面を参照して説明する。
【００１７】
図１に示す本実施形態のデジタルカメラは、通常のデジタルカメラと同様、日時等の初期設定機能のほか、撮影、保存、再生等の基本的機能を備えるものであり、筐体１の前面にレンズ１１やフラッシュ１２、上面にシャッター１３、背面に被写体あるいは再生画像を表示するための液晶素材等からなる画像表示部１４、静止画撮影・動画撮影・接写撮影・再生等を切り替える切替部１５などを具備している。上記レンズ１１、シャッター１３等よりなる撮像部１ａを通じて取得した画像データＤｇは、初期設定時に入力される日時情報とともに図２に示す記録部２１が画像データＤｇとしてフラッシュメモリ等の画像データ記録部２１ｇに記録するようにしている。
【００１８】
このような構成において本実施形態は、図１に示す筐体１の一部、すなわち背面における画像表示部１４と並列的な位置、より具体的には左半部に位置する画像表示部１４に対してその右半部に、撮影日時以外の画像に関する詳細情報（メモ的なもの）を入力するための詳細情報入力部２を画像表示部１４と略同程度の大きさで一体に設けている。
【００１９】
この詳細情報入力部２は、携帯電話の入力部に準ずる構成をなし、少なくとも「あ〜ん」までのひらがな文字ないしカタカナ文字、「Ａ〜Ｚ」までのアルファベット、並びに、「１〜０」までの数字が入力可能なテンキー２１と、ひらがな文字を漢字に変換するための変換キー２２とを備えている。
【００２０】
そして、筐体１の一部に選択部２３を備えるとともに、シャッター１３を押した際に画像表示部１４に詳細情報入力モードを選択するためのモード選択部２０（図２参照）が現れるようにしてあり、選択部２３でモード選択部２０（すなわち詳細情報入力モード）を選択することにより、詳細情報入力部２からの詳細情報の入力を許容するようにしている。詳細情報を入力する場合には、図３中「Ｘ」に示すように写真の被写体の前に自動的に直接入力するか、或いは、図３及び図４中「Ｙ」に示すように被写体の一部（図では下辺近傍）に余白を作りそこに選択した文字を入力するかの入力形態が選択可能であり、そのための入力形態選択部２２（図２参照）が画面に表示されて、選択部２３を操作して適宜の入力形態を選択できるようにしている。かかる選択部２３は画像表示部１４上のカーソルと連動させて種々の選択決定を行うように構成された周知のものである。背景色や文字の種類も選択可能であり、文字には絵文字も利用であって、これらの操作も全て上記選択部２３における操作を通じて入力形態選択部２２にて行うことができる。こうして、図３中「Ｘ」に示すように画像データＤｇに重畳させて詳細情報データＤｓが表示され、或いは図３及び図４中「Ｙ」に示すように画像データＤｇの傍らの余白の部分に詳細情報データＤｓが表示された状態で、選択部２３を操作して図２の記録指令部２４（実際には画面上に設けられている）を選択すると、記録部２１が起動して、撮像部１ａが撮像しスタックしている画像データＤｇと詳細情報入力部２より入力された詳細情報データＤｓ（詳細情報データの挿入位置に関する位置情報を含む）とを取り込んで記録するようにしている。記録方式は、画像データＤｇに詳細情報データＤｓが加えられた画像そのものを画像データ記録部２１ｇに記録するか、或いは、画像データＤｇ及び詳細情報データＤｓに共通の識別子（例えばA20060001,A20060002…など）を付してそれぞれ画像データ記録部２１ｇ及び詳細情報データ記録部２１ｓに別々に記録するか、何れの方式によってもよい。後者の場合には両記録部２１g、２１ｓごとに別ファイルとして取り扱うことができる。
【００２１】
一方、本実施形態のデジタルカメラは、上記選択部２３を操作して読み出し指令部２５を選択できるようにしてあり、画像を特定して読み出し指令をなすと、読み出し部２６が起動して、画像データＤｇを詳細情報データＤｓとともに画像データ記録部２１ｇから読み出し、或いは画像データ記録部２１ｇから画像データＤｇを読み出すとともに当該画像データＤｇに付されている識別子と共通の識別子が付されている詳細情報データＤｓを詳細情報データ記録部２１ｓから読み出すようにしている。画像の特定は画像表示部１４上でコマ送りして行ってもよいし、複数個づつサムネイル表示してそこから選択するようにしてもよい。読み出した画像データＤｇ及び詳細情報データＤｓは、画像表示部１４上に表示され、或いはプリント指令を通じてプリンタに印刷データとして出力される。画像データＤｇと詳細情報データＤｓが別ファイルにて記録されている場合には、プリント指令の際に選択部２３を通じて「詳細情報あり」または「詳細情報なし」を選択できる選択画面を設けるようにしてもよい。
【００２２】
詳細情報ありとしてプリントした場合、図３及び図４に示す画像表示部１４上の詳細情報を含んだ画像は、一体となって印刷指令時にプリンターに送り込まれ、そのまま印刷済出力紙Ｓの印刷状態をなす。そして、図３中「Ｘ」に示すように画像データ印刷領域（すなわち画像データＤｇが印刷される領域）の一部に詳細情報データ印刷領域（すなわち詳細情報データＤｓが挿入される領域）が設定されているときには画像の上に重畳的に詳細情報Ｄｓがプリントされ、あるいは、図３及び図４中「Ｙ」に示すように画像データ印刷領域（画像データＤｇが印刷される領域）の隣接位置に設けた余白部分が詳細情報データ印刷領域（詳細情報データＤｓが印刷される領域）として設定されているときにはその余白に詳細情報がプリントされて排紙される。
【００２３】
以上のように、本実施形態のデジタルカメラは、筐体１の一部に、撮影日時以外の画像に関する詳細情報を入力するための詳細情報入力部２を一体に設けたものである。このような入力部２をデジタルカメラに備えることで、撮影画像が何処で撮影したものなのか、被写体が誰であるのか、どのようなイベントに因んで撮影されたものであるのか等といった詳細情報を撮影したその場で関連づけることができる。すなわち、図３の「平成１７年１１月１８日大阪にて、山田様の新作発表会」となる例示のほかに、例えば「２００５年５月２１日私の２３回目のBIRTHDAY!」、「彼とケンカのあと呑みに行く」などのようなプライベートユースから、図４の「平成１８年４月１０日  京都烏丸の現場にて」とある例示のほかに、「６月２３日会議のあと  佐々木様と打ち合わせにて」「北海道  視察、稚内にて」というビジネスユースまでをデジタルカメラにその場で打ち込んでメモすることができる。このため、大量の画像データＤｇが蓄積された後であっても、事後的に確認や整理等を有効に行うことが可能となる。
【００２４】
その詳細情報入力部２は、テンキー２１を通じて少なくともひらがな文字及びカタカナ文字、アルファベット、並びに数字を入力可能とされ、更にひらがな文字を漢字に変換する変換キー２２を備えているため、携帯電話等と同様の使い勝手で手馴れた操作により入力を簡易に行うことが可能となる。
【００２５】
また、上記詳細情報入力部２は、筐体１の裏面において、撮影した画像が表示される画像表示部２３と略同程度の大きさで当該画像表示部２３に対し並列的に設けてあるため、画像表示部２３を見ながら的確な操作を行うことができ、また操作に適した十分な大きさのキー配列領域を有効に確保することができる。
【００２６】
この場合、筐体１の一部に、詳細情報入力モードを選択するための選択部２３を備え、この選択部２３を通じて詳細情報入力モードが選択されることによって詳細情報入力部２からの詳細情報の入力を許容するようにしているため、詳細情報を必要とする場合と必要としない場合とを選択でき、また、不用意にテンキー２１が押されても通常は詳細情報入力モードにない状態にしておくことによって誤った情報が入力されることを防止してデジタルカメラの適正な使用状態を確保することができる。
【００２７】
記録に関する具体的な構成としては、筐体１の一部に、詳細情報入力部２から入力した詳細情報と画像表示部１４に表示される撮影画像とを関連づけて記録するための記録指令部２４を備え、この記録指令部２４を通じて記録指令がなされることにより、記録部２１が画像データＤｇ及び詳細情報データＤｓをともに画像データ記録部２１ｇに記録し若しくは両データＤｇ、Ｄｓに共通の識別子を付してそれぞれ画像データ記録部２１ｇ及び詳細情報データ記録部２１ｓに記録するようにしているので、詳細情報は常に対応する撮影画像と対となって記録され、画像ごとのメモ機能の実効を有効に担保することができる。
【００２８】
また、読み出しに関する具体的な構成としては、筐体１の一部に、画像データ記録部２１ｇに記録されている画像データＤｇを読み出すための読み出し指令部２５を備え、この読み出し指令部２５を通じて特定の画像データＤｇに対する読み出し指令がなされることにより、読み出し部２６が当該画像データＤｇを詳細情報データＤｓとともに画像データ記録部２１ｇから読み出し若しくは当該画像データＤｇを画像データ記録部２１ｇから読み出すとともにこの画像データＤｇに付されている識別子と共通の識別子が付されている詳細情報データＤｓを詳細情報データ記録部２１ｓから読み出すようにしているため、詳細情報は常に対応する撮影画像と対となって読み出され、この点においても画像ごとのメモ機能の実効を有効に担保することができる。
【００２９】
そして、本実施形態の印刷済出力紙Ｓは、デジタルカメラの画像データＤｇが画像データ印刷領域に印刷されるに際して、その画像データ印刷領域の一部又は当該画像データ印刷領域の隣接位置に、少なくとも撮影日時以外の画像に関する詳細情報データＤｓが印刷された詳細情報データ印刷領域を備えているので、大量の印刷済出力紙が蓄積した後であっても、事後的な確認や整理を有効に行うことができる。
【００３０】
なお、各部の具体的な構成は、上述した実施形態のみに限定されるものではなく、本考案の趣旨を逸脱しない範囲で種々変形が可能である。例えば、詳細情報入力部の位置や大きさ、範囲については、入力がし易く、画像表示部の妨げにならなければ、どのような位置に設けてもよい。選択部の構造や機能などについても、ジョグダイヤルなどを始め種々の形態を採用することができる。
【図面の簡単な説明】
【００３１】
【図１】本考案の一実施形態に係るデジタルカメラを示す斜視図。
【図２】同内部構造説明図。
【図３】印刷済出力紙を例示する図。
【図４】他の印刷済出力紙を例示する図。
【符号の説明】
【００３２】
１…筐体
２…詳細情報入力部
１４…画像表示部
２３…選択部
【図１】
0003125774.tif 000003
【図２】
0003125774.tif 000004
【図３】
0003125774.tif 000005
【図４】
0003125774.tif 000006
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
筐体の一部に、少なくとも撮影日時以外の画像に関する詳細情報を入力するための詳細情報入力部を一体に設けたことを特徴とするデジタルカメラ。
【請求項２】
詳細情報入力部が、少なくともひらがな文字及びカタカナ文字、アルファベット、並びに数字を入力するためのテンキーと、ひらがな文字を漢字に変換する変換キーとを備えていることを特徴とする請求項１記載のデジタルカメラ。
【請求項３】
筐体の裏面に詳細情報入力部を、撮影した画像が表示される画像表示部と略同程度の大きさで当該画像表示部とともに並列的に設けていることを特徴とする請求項１又は２記載のデジタルカメラ。
【請求項４】
筐体の一部に、詳細情報入力モードを選択するための選択部を備え、この選択部を通じて詳細情報入力モードが選択されることにより、詳細情報入力部からの詳細情報の入力を許容するように構成していることを特徴とする請求項３記載のデジタルカメラ。
【請求項５】
筐体の一部に、詳細情報入力部から入力した詳細情報と画像表示部に表示される撮影画像とを関連づけて記録するための記録指令部を備え、この記録指令部を通じて記録指令がなされることにより、記録部が、画像データ及び詳細情報データをともに画像データ記録部に記録し若しくは両データに共通の識別子を付してそれぞれ画像データ記録部及び詳細情報データ記録部に記録するように構成していることを特徴とする請求項１〜４記載のデジタルカメラ。
【請求項６】
筐体の一部に、画像データ記録部に記録されている画像データを読み出すための読み出し指令部を備え、この読み出し指令部を通じて特定の画像データに対する読み出し指令がなされることにより、読み出し部が、当該画像データを詳細情報データとともに画像データ記録部から読み出し若しくは当該画像データを画像データ記録部から読み出すとともにこの画像データに付されている識別子と共通の識別子が付されている詳細情報データを詳細情報データ記録部から読み出すように構成していることを特徴とする請求項５記載のデジタルカメラ。
【手続補正２】
【補正対象書類名】明細書
【補正対象項目名】全文
【補正方法】変更
【補正の内容】
【考案の詳細な説明】
【技術分野】
【０００１】
本考案は、撮影した大量の画像を好適に取り扱うことができるようにしたデジタルカメラに関するものである。
【背景技術】
【０００２】
近年、デジタルカメラの性能は急速に進歩し、旧来の銀塩フィルムに比して遜色のない画質が実現されている。このような中、優劣の判断は専ら画素数に求められているきらいがあり、一般人が認識できない画素数領域での開発が進んでいる。また、記録媒体の大容量化も加速し、デジタルデータという特質がら大量のデータを劣化させることなく半永久的に保存することが可能になるなど、旧来の銀塩フィルムにおいては到底望めなかった機能も備わるようになっている。本考案に対応する従来技術は例示するまでもないほど一般的な形態のものである。
【考案の開示】
【考案が解決しようとする課題】
【０００３】
ところで、このように一気に大量の画像を手軽に撮影できるようになると、様々な面で利便性は向上するものの、撮影画像をＰＣに移して保存する場合等に却って混乱を来たし易いという新たな問題が生じる。すなわち、今日のデジタルカメラは、初期設定後においては撮影・再生・データ移動・消去など、画像データを取扱う上での様々な機能は用意されているものの、画像データ以外に画像に関する情報として扱われるのはデジタルカメラ上で自動的に振られる撮影日時程度であり、その画像が何処で撮影したものなのか、被写体が誰であるのか、どのようなイベントに因んで撮影されたものであるのか、などといった詳細情報について画像データや印刷した写真等から伺い知ることはできない。このため、撮影から日が経つにつれて整理が困難になり、ましてや画像データを無造作にＰＣに移して蓄積していった場合には、もはや収集がつかない事態に陥ることとなる。
【０００４】
本考案は、このような課題に着目してなされたものであって、画質などに過剰な品質を追求するだけではなく、エンドユーザのために真に有用となる新たな機能を備えたデジタルカメラを提供することを目的としている。
【課題を解決するための手段】
【０００５】
本考案は、かかる目的を達成するために、次のような手段を講じたものである。
【０００６】
すなわち、本考案のデジタルカメラは、筐体の一部に、少なくとも撮影日時以外の画像に関する詳細情報を入力するための詳細情報入力部を一体に設けたことを特徴とする。
【０００７】
デジタルカメラにこのような入力部が備われば、撮影画像が何処で撮影したものなのか、被写体が誰であるのか、どのようなイベントに因んで撮影されたものであるのか等といった詳細情報を撮影後にデジタルカメラ上で入力して関連づけることができるので、大量の画像データが蓄積した後であっても、事後的な確認や整理の便に資することができる。
【０００８】
詳細情報入力部は、テンキーを通じて少なくともひらがな文字及びカタカナ文字、アルファベット、並びに数字を入力可能とされ、更にひらがな文字を漢字に変換する変換キーを備えているものが適切である。
【０００９】
使い勝手を良好にするためには、筐体の裏面に詳細情報入力部を、撮影した画像が表示される画像表示部と略同程度の大きさで当該画像表示部とともに並列的に設けておくことが望ましい。
【００１０】
詳細情報の入力を必要な場合のみ行うようにするためには、筐体の一部に、詳細情報入力モードを選択するための選択部を備え、この選択部を通じて詳細情報入力モードが選択されることにより、詳細情報入力部からの詳細情報の入力を許容するように構成しておくことが好ましい。
【００１１】
記録に関する具体的な実施の態様としては、筐体の一部に、詳細情報入力部から入力した詳細情報と画像表示部に表示される撮影画像とを関連づけて記録するための記録指令部を備え、この記録指令部を通じて記録指令がなされることにより、記録部が、画像データ及び詳細情報データをともに画像データ記録部に記録し若しくは両データに共通の識別子を付してそれぞれ画像データ記録部及び詳細情報データ記録部に記録するように構成しているものが挙げられる。
【００１２】
読み出しに関する具体的な実施の態様としては、筐体の一部に、画像データ記録部に記録されている画像データを読み出すための読み出し指令部を備え、この読み出し指令部を通じて特定の画像データに対する読み出し指令がなされることにより、読み出し部が、当該画像データを詳細情報データとともに画像データ記録部から読み出し若しくは当該画像データを画像データ記録部から読み出すとともにこの画像データに付されている識別子と共通の識別子が付されている詳細情報データを詳細情報データ記録部から読み出すように構成しているものが挙げられる。
【００１３】
一方、本考案の印刷済出力紙としては、デジタルカメラの画像データが画像データ印刷領域に印刷されるに際して、その画像データ印刷領域の一部又は当該画像データ印刷領域の隣接位置に、少なくとも撮影日時以外の画像に関する詳細情報が印刷された詳細情報データ印刷領域を備えていることを特徴とする。
【００１４】
このようなものであると、大量の印刷済出力紙が蓄積した後であっても、事後的な確認や整理を有効に行うことができる。
【考案の効果】
【００１５】
本考案は、以上説明した構成であるから、画像を事後的に類別できる便利な機能を備えた新規有用なデジタルカメラを提供することが可能となる。
【考案を実施するための最良の形態】
【００１６】
以下、本考案の一実施形態を、図面を参照して説明する。
【００１７】
図１に示す本実施形態のデジタルカメラは、通常のデジタルカメラと同様、日時等の初期設定機能のほか、撮影、保存、再生等の基本的機能を備えるものであり、筐体１の前面にレンズ１１やフラッシュ１２、上面にシャッター１３、背面に被写体あるいは再生画像を表示するための液晶素材等からなる画像表示部１４、静止画撮影・動画撮影・接写撮影・再生等を切り替える切替部１５などを具備している。上記レンズ１１、シャッター１３等よりなる撮像部１ａを通じて取得した画像データＤｇは、初期設定時に入力される日時情報とともに図２に示す記録部２１が画像データＤｇとしてフラッシュメモリ等の画像データ記録部２１ｇに記録するようにしている。
【００１８】
このような構成において本実施形態は、図１に示す筐体１の一部、すなわち背面における画像表示部１４と並列的な位置、より具体的には左半部に位置する画像表示部１４に対してその右半部に、撮影日時以外の画像に関する詳細情報（メモ的なもの）を入力するための詳細情報入力部２を画像表示部１４と略同程度の大きさで一体に設けている。
【００１９】
この詳細情報入力部２は、携帯電話の入力部に準ずる構成をなし、少なくとも「あ〜ん」までのひらがな文字ないしカタカナ文字、「Ａ〜Ｚ」までのアルファベット、並びに、「１〜０」までの数字が入力可能なテンキー２１と、ひらがな文字を漢字に変換するための変換キー２２とを備えている。
【００２０】
そして、筐体１の一部に選択部２３を備えるとともに、シャッター１３を押した際に画像表示部１４に詳細情報入力モードを選択するためのモード選択部２０（図２参照）が現れるようにしてあり、選択部２３でモード選択部２０（すなわち詳細情報入力モード）を選択することにより、詳細情報入力部２からの詳細情報の入力を許容するようにしている。詳細情報を入力する場合には、図３中「Ｘ」に示すように写真の被写体の前に自動的に直接入力するか、或いは、図３及び図４中「Ｙ」に示すように被写体の一部（図では下辺近傍）に余白を作りそこに選択した文字を入力するかの入力形態が選択可能であり、そのための入力形態選択部２２（図２参照）が画面に表示されて、選択部２３を操作して適宜の入力形態を選択できるようにしている。かかる選択部２３は画像表示部１４上のカーソルと連動させて種々の選択決定を行うように構成された周知のものである。背景色や文字の種類も選択可能であり、文字には絵文字も利用であって、これらの操作も全て上記選択部２３における操作を通じて入力形態選択部２２にて行うことができる。こうして、図３中「Ｘ」に示すように画像データＤｇに重畳させて詳細情報データＤｓが表示され、或いは図３及び図４中「Ｙ」に示すように画像データＤｇの傍らの余白の部分に詳細情報データＤｓが表示された状態で、選択部２３を操作して図２の記録指令部２４（実際には画面上に設けられている）を選択すると、記録部２１が起動して、撮像部１ａが撮像しスタックしている画像データＤｇと詳細情報入力部２より入力された詳細情報データＤｓ（詳細情報データの挿入位置に関する位置情報を含む）とを取り込んで記録するようにしている。記録方式は、画像データＤｇに詳細情報データＤｓが加えられた画像そのものを画像データ記録部２１ｇに記録するか、或いは、画像データＤｇ及び詳細情報データＤｓに共通の識別子（例えばA20060001,A20060002…など）を付してそれぞれ画像データ記録部２１ｇ及び詳細情報データ記録部２１ｓに別々に記録するか、何れの方式によってもよい。後者の場合には両記録部２１g、２１ｓごとに別ファイルとして取り扱うことができる。
【００２１】
一方、本実施形態のデジタルカメラは、上記選択部２３を操作して読み出し指令部２５を選択できるようにしてあり、画像を特定して読み出し指令をなすと、読み出し部２６が起動して、画像データＤｇを詳細情報データＤｓとともに画像データ記録部２１ｇから読み出し、或いは画像データ記録部２１ｇから画像データＤｇを読み出すとともに当該画像データＤｇに付されている識別子と共通の識別子が付されている詳細情報データＤｓを詳細情報データ記録部２１ｓから読み出すようにしている。画像の特定は画像表示部１４上でコマ送りして行ってもよいし、複数個づつサムネイル表示してそこから選択するようにしてもよい。読み出した画像データＤｇ及び詳細情報データＤｓは、画像表示部１４上に表示され、或いはプリント指令を通じてプリンタに印刷データとして出力される。画像データＤｇと詳細情報データＤｓが別ファイルにて記録されている場合には、プリント指令の際に選択部２３を通じて「詳細情報あり」または「詳細情報なし」を選択できる選択画面を設けるようにしてもよい。
【００２２】
詳細情報ありとしてプリントした場合、図３及び図４に示す画像表示部１４上の詳細情報を含んだ画像は、一体となって印刷指令時にプリンターに送り込まれ、そのまま印刷済出力紙Ｓの印刷状態をなす。そして、図３中「Ｘ」に示すように画像データ印刷領域（すなわち画像データＤｇが印刷される領域）の一部に詳細情報データ印刷領域（すなわち詳細情報データＤｓが挿入される領域）が設定されているときには画像の上に重畳的に詳細情報Ｄｓがプリントされ、あるいは、図３及び図４中「Ｙ」に示すように画像データ印刷領域（画像データＤｇが印刷される領域）の隣接位置に設けた余白部分が詳細情報データ印刷領域（詳細情報データＤｓが印刷される領域）として設定されているときにはその余白に詳細情報がプリントされて排紙される。
【００２３】
以上のように、本実施形態のデジタルカメラは、筐体１の一部に、撮影日時以外の画像に関する詳細情報を入力するための詳細情報入力部２を一体に設けたものである。このような入力部２をデジタルカメラに備えることで、撮影画像が何処で撮影したものなのか、被写体が誰であるのか、どのようなイベントに因んで撮影されたものであるのか等といった詳細情報を撮影したその場で関連づけることができる。すなわち、図３の「平成１７年１１月１８日大阪にて、山田様の新作発表会」となる例示のほかに、例えば「２００５年５月２１日私の２３回目のBIRTHDAY!」、「彼とケンカのあと呑みに行く」などのようなプライベートユースから、図４の「平成１８年４月１０日  京都烏丸の現場にて」とある例示のほかに、「６月２３日会議のあと  佐々木様と打ち合わせにて」「北海道  視察、稚内にて」というビジネスユースまでをデジタルカメラにその場で打ち込んでメモすることができる。このため、大量の画像データＤｇが蓄積された後であっても、事後的に確認や整理等を有効に行うことが可能となる。
【００２４】
その詳細情報入力部２は、テンキー２１を通じて少なくともひらがな文字及びカタカナ文字、アルファベット、並びに数字を入力可能とされ、更にひらがな文字を漢字に変換する変換キー２２を備えているため、携帯電話等と同様の使い勝手で手馴れた操作により入力を簡易に行うことが可能となる。
【００２５】
また、上記詳細情報入力部２は、筐体１の裏面において、撮影した画像が表示される画像表示部２３と略同程度の大きさで当該画像表示部２３に対し並列的に設けてあるため、画像表示部２３を見ながら的確な操作を行うことができ、また操作に適した十分な大きさのキー配列領域を有効に確保することができる。
【００２６】
この場合、筐体１の一部に、詳細情報入力モードを選択するための選択部２３を備え、この選択部２３を通じて詳細情報入力モードが選択されることによって詳細情報入力部２からの詳細情報の入力を許容するようにしているため、詳細情報を必要とする場合と必要としない場合とを選択でき、また、不用意にテンキー２１が押されても通常は詳細情報入力モードにない状態にしておくことによって誤った情報が入力されることを防止してデジタルカメラの適正な使用状態を確保することができる。
【００２７】
記録に関する具体的な構成としては、筐体１の一部に、詳細情報入力部２から入力した詳細情報と画像表示部１４に表示される撮影画像とを関連づけて記録するための記録指令部２４を備え、この記録指令部２４を通じて記録指令がなされることにより、記録部２１が画像データＤｇ及び詳細情報データＤｓをともに画像データ記録部２１ｇに記録し若しくは両データＤｇ、Ｄｓに共通の識別子を付してそれぞれ画像データ記録部２１ｇ及び詳細情報データ記録部２１ｓに記録するようにしているので、詳細情報は常に対応する撮影画像と対となって記録され、画像ごとのメモ機能の実効を有効に担保することができる。
【００２８】
また、読み出しに関する具体的な構成としては、筐体１の一部に、画像データ記録部２１ｇに記録されている画像データＤｇを読み出すための読み出し指令部２５を備え、この読み出し指令部２５を通じて特定の画像データＤｇに対する読み出し指令がなされることにより、読み出し部２６が当該画像データＤｇを詳細情報データＤｓとともに画像データ記録部２１ｇから読み出し若しくは当該画像データＤｇを画像データ記録部２１ｇから読み出すとともにこの画像データＤｇに付されている識別子と共通の識別子が付されている詳細情報データＤｓを詳細情報データ記録部２１ｓから読み出すようにしているため、詳細情報は常に対応する撮影画像と対となって読み出され、この点においても画像ごとのメモ機能の実効を有効に担保することができる。
【００２９】
そして、本実施形態の印刷済出力紙Ｓは、デジタルカメラの画像データＤｇが画像データ印刷領域に印刷されるに際して、その画像データ印刷領域の一部又は当該画像データ印刷領域の隣接位置に、少なくとも撮影日時以外の画像に関する詳細情報データＤｓが印刷された詳細情報データ印刷領域を備えているので、大量の印刷済出力紙が蓄積した後であっても、事後的な確認や整理を有効に行うことができる。
【００３０】
なお、各部の具体的な構成は、上述した実施形態のみに限定されるものではなく、本考案の趣旨を逸脱しない範囲で種々変形が可能である。例えば、詳細情報入力部の位置や大きさ、範囲については、入力がし易く、画像表示部の妨げにならなければ、どのような位置に設けてもよい。選択部の構造や機能などについても、ジョグダイヤルなどを始め種々の形態を採用することができる。
【図面の簡単な説明】
【００３１】
【図１】本考案の一実施形態に係るデジタルカメラを示す斜視図。
【図２】同内部構造説明図。
【図３】印刷済出力紙を例示する図。
【図４】他の印刷済出力紙を例示する図。
【符号の説明】
【００３２】
１…筐体
２…詳細情報入力部
１４…画像表示部
２３…選択部